(57)【要約】【課題】食料品店、飲食店、スーパーマーケット等において、食品衛生法上の法規制を受けることなくペットの販売を行なう。【解決手段】食料品店、飲食店、スーパーマーケット、その他集客の多い場所にタッチパネルを設置し、このタッチパネル上に選択された種類のペットの画像を表示し、顧客が特定の画像のペットを選択した場合には、この選択に連動して、タッチパネル１６のテレビ電話機能を利用してペットショップのパソコン１１との間でテレビ電話回線を成立させ、選択されたペットの画像を送信してタッチパネル１６によって見えるようにし、これによってペットを購入するかどうかの判断を行なうようにしたものである。【選択図】図１
2010092315.tif 000002
【特許請求の範囲】
【請求項１】
ペットショップ以外の所に画像表示用の表示手段を配し、通信網を介して送信されるペットの画像を前記表示手段上に表示してペットを販売することを特徴とするペットの販売方法。
【請求項２】
加盟するペットショップがペットの画像を作成してサーバ上のホームページにアップロードすることを特徴とする請求項１に記載のペットの販売方法。
【請求項３】
加盟する繁殖者（ブリーダー）が生まれて２週間からのペットの画像を作成してサーバ上のホームページにアップロードすることを特徴とする請求項１に記載のペットの販売方法。
【請求項４】
前記表示手段が透明電極から成るタッチスイッチを表面に備え、タッチ操作によって入力動作が行なわれるタッチパネルであることを特徴とする請求項１に記載のペットの販売方法。
【請求項５】
前記タッチパネル上においてペットの種類を選択してその種類のペットを画像によって一覧表示を行ない、一覧表示されたペットから好みのペットを選択することを特徴とする請求項４に記載のペットの販売方法。
【請求項６】
前記タッチパネル上においてペットの種類を選択してその種類のペットのリストの一覧表示を行ない、一覧表示のリストの中から好みのペットを選択すると、そのペットの画像が表示されることを特徴とする請求項４に記載のペットの販売方法。
【請求項７】
前記タッチパネルがテレビ電話機能を有し、選択したペットの動画像をテレビ電話を通してペットショップから送信してもらい、前記タッチパネルによって表示することを特徴とする請求項４に記載のペットの販売方法。
【請求項８】
それぞれのペットショップがネットワークカメラを備え、該ネットワークカメラによって保有するペットの画像をタッチパネルに送信することを特徴とする請求項４に記載のペットの販売方法。
【請求項９】
前記タッチパネルが集計機能を有する管理用コンピュータに接続されることを特徴とする請求項４に記載のペットの販売方法。
【請求項１０】
前記タッチパネルによってあるペットが検索されると、その検索の回数を前記ペットについてカウントアップして記憶手段により記憶することを特徴とする請求項９に記載のペットの販売方法。
【請求項１１】
条件を入力すると、該条件に応じて集計が行なわれて集計結果が出力されることを特徴とする請求項９に記載のペットの販売方法。
【請求項１２】
ペットショップ以外の所に設置されかつテレビ電話機能を有する表示手段と、
ペットショップに設置されかつテレビ電話機能を有するコンピュータと、
前記ペットショップに設置されたコンピュータからペットの画像がアップロードされかつ前記表示手段に対して画像を送信するサーバと、
前記サーバおよび前記表示手段を管理する管理用コンピュータと、
前記表示手段と前記サーバと前記管理用コンピュータとを互いに接続する通信網と、
を有するペットの販売装置。
【請求項１３】
前記ペットショップにネットワークカメラが設置され、該ネットワークカメラが前記通信網を介して前記表示手段に前記ペットショップ内の映像を送信することを特徴とする請求項１２に記載のペットの販売装置。
【発明の詳細な説明】
【技術分野】
【０００１】
本発明はペットの販売方法およびペットの販売装置に係り、とくに通信網と接続されるタッチパネル等の表示手段によって、ペットショップ以外の所でペットの販売を行ない得るようにしたペットの販売方法および販売装置に関する。
【背景技術】
【０００２】
犬や猫は、ペットショップにおいて販売される。従来は、販売月齢に適したペットを犬舎、猫舎等に収納した状態でペットショップ内に陳列販売している。従って犬や猫等のペットを購入しようとする場合には、顧客がペットショップに赴き、犬舎や猫舎にいる実際の犬や猫を見てペットの選択を行なうことになる。ここで顧客は必要に応じて、ペットショップの販売員の説明を聞いたり、あるいはまたペットの性状等に関する説明を受けたりすることができる。
【０００３】
ところが従来より、食品衛生法上の規制によって、ペットを食料品店や飲食店で陳列販売することができなかった。従ってペットショップと食料品店あるいはペットショップと飲食店との融合状態でのペットの販売が規制されていた。すなわちペットの販売は、食品衛生法上の規制によってその販売する場所が限定される問題があった。
【０００４】
またペットは、通常所定の大きさの犬舎あるいは猫舎に入れた状態で販売を行なうために、ペットショップ内で犬や猫を販売する場合に、店内のスペースによって頭数が制限される欠点があった。またペットは、ペットショップ内において長期間在庫状態にあると、生体が成長進行し、これによって販売に適した生体よりも大きくなってしまう問題があった。
【特許文献１】特開２００１−２９７２０７号公報
【特許文献２】特開２００２−０２４５７７号公報
【発明の開示】
【発明が解決しようとする課題】
【０００５】
本願発明の課題は、食品衛生法上の規制を受けることなく、場所を選ぶことなく、販売装置を設置できるようにしたペットの販売方法および販売装置を提供することである。
【０００６】
本願発明の別の課題は、任意の場所において、極めて少ないスペースでしかも簡便に設置することが可能なペットの販売方法および販売装置を提供することである。
【０００７】
本願発明のさらに別の課題は、実際のペットを犬舎や猫舎に収納しておくことなくしかも販売を行なうようにしたペットの販売方法および販売装置を提供することである。
【０００８】
本願発明のさらに別の課題は、販売可能なペットの数を極めて多くして、これにより選択肢の数を大きくしたペットの販売方法および販売装置を提供することである。
【０００９】
本願発明のさらに別の課題は、生体の在庫を置かず、これによって長期間在庫による生体の成長進行が行なわれることがないようにしたペットの販売方法および販売装置を提供することである。
【００１０】
本願発明のさらに別の課題は、顧客のアクセスに応じて顧客の好みや販売性向を確実に把握できるようにしたペットの販売方法および販売装置を提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、ペットショップ以外の所に画像表示用の表示手段を配し、通信網を介して送信されるペットの画像を前記表示手段上に表示してペットを販売することを特徴とするペットの販売方法に関するものである。
【００１３】
ここで、加盟するペットショップがペットの画像を作成してサーバ上のホームページにアップロードしてよい。また加盟する繁殖者（ブリーダー）が生まれて２週間からのペットの画像を作成してサーバ上のホームページにアップロードしてよい。また前記表示手段が透明電極から成るタッチスイッチを表面に備え、タッチ操作によって入力動作が行なわれるタッチパネルであってよい。また前記タッチパネル上においてペットの種類を選択してその種類のペットを画像によって一覧表示を行ない、一覧表示されたペットから好みのペットを選択してよい。また前記タッチパネル上においてペットの種類を選択してその種類のペットのリストの一覧表示を行ない、一覧表示のリストの中から好みのペットを選択すると、そのペットの画像が表示されてよい。また前記タッチパネルがテレビ電話機能を有し、選択したペットの動画像をテレビ電話を通してペットショップから送信してもらい、前記タッチパネルによって表示してよい。またそれぞれのペットショップがネットワークカメラを備え、該ネットワークカメラによって保有するペットの画像をタッチパネルに送信してよい。
【００１４】
また前記タッチパネルが集計機能を有する管理用コンピュータに接続されてよい。また前記タッチパネルによってあるペットが検索されると、その検索の回数を前記ペットについてカウントアップして記憶手段により記憶するようにしてよい。また条件を入力すると、該条件に応じて集計が行なわれて集計結果が出力されてよい。
【００１５】
ペットの販売装置に関する主要な発明は、
ペットショップ以外の所に設置されかつテレビ電話機能を有する表示手段と、
ペットショップに設置されかつテレビ電話機能を有するコンピュータと、
前記ペットショップに設置されたコンピュータからペットの画像がアップロードされかつ前記表示手段に対して画像を送信するサーバと、
前記サーバおよび前記表示手段を管理する管理用コンピュータと、
前記表示手段と前記サーバと前記管理用コンピュータとを互いに接続する通信網と、
を有するペットの販売装置に関するものである。
【００１６】
ここで、前記ペットショップにネットワークカメラが設置され、該ネットワークカメラが前記通信網を介して前記表示手段に前記ペットショップ内の映像を送信してよい。
【発明の効果】
【００１７】
本願の主要な発明は、ペットショップ以外の所に画像表示用の表示手段を配し、通信網を介して送信されるペットの画像を表示手段上に表示してペットを販売するようにしたものである。
【００１８】
従ってこのようなペットの販売方法によると、生きているペットをその場所に陳列することなく、表示手段上のペットの画像を用いてペットを販売することができ、購入する顧客は、希望のペットを画像によって選択して購入できるようになる。従って生体のペットを陳列販売することがなく、このために食品衛生法上の規制を受けない。また極めて狭いスペースでもペットの販売を行なうことができる。また表示手段上に表示できるペットのデータを取揃えておくことによって、膨大な選択肢の中から任意のペットを選択できるようになり、ペットの選択の幅あるいは範囲が著しく拡大する。
【００１９】
ペットの販売装置に関する主要な発明は、ペットショップ以外の所に設置されかつテレビ電話機能を有する表示手段と、ペットショップに設置されかつテレビ電話機能を有するコンピュータと、ペットショップに設置されたコンピュータからペットの画像がアップロードされかつ表示手段に対して画像を送信するサーバと、サーバおよび表示手段を管理する管理用コンピュータと、表示手段とサーバと管理用コンピュータとを互いに接続する通信網と、を有するようにしたものである。
【００２０】
従ってこのようなペットの販売装置によると、生体のペットを陳列することなくしかも表示手段を用いてペットの画像によってペットの販売を行なうことが可能になり、食品衛生法上の規制を受けることなく、極めて狭いスペースでのペットの販売装置を構成することが可能になる。
【発明を実施するための最良の形態】
【００２１】
以下本願発明を図示の実施の形態によって説明する。図１は本発明の一実施の形態に係るペットの販売方法および販売装置のシステム構成の概要を示すものであって、このシステムはインターネット通信網１０を用いて行なうものである。インターネット通信網１０には、それぞれのペットショップに配置されたパソコン１１が接続される。なおパソコン１１は表示パネル１２を有している。またそれぞれのペットショップには、対応するネットワークカメラ１３が設置される。
ネットワークカメラ１３はマイコンを内蔵し、画像の通信機能を有する高性能のＣＣＤを用いたデジタルカメラである。
【００２２】
一方ペットショップから離れた位置であって任意の飲食店、スーパーマーケット、その他の店舗の所定の位置には、ペットショップの販売コーナが設けられる。そしてこの販売コーナには、１台のタッチパネル１６が配される。タッチパネル１６は、表面に透明電極によってタッチスイッチを設けたディスプレイであって、画像表示とメニューの選択とを行なうことができる表示手段である。そしてタッチパネル１６は展示販売用のパソコン１７に接続され、このパソコン１７の表示手段を構成している。そしてタッチパネル１６がパソコン１７を介して上記インターネット通信網１０に接続される。またインターネット通信網１０には、この販売システムにおいて用いられるペットの映像を格納するサーバ２０を備えている。なおサーバ２０の数は、必ずしも２台である必要はなく、１台であってもよく、あるいはまた３台以上あってもよい。またこのペットの販売システムの全体を管理するために管理用コンピュータ２３が設置される。管理用コンピュータ２３には、表示手段としての表示パネル２４が接続される。
【００２３】
図２は上記インターネット通信網１０に接続されかつそれぞれのペットショップに配されるパソコン１１の構成を示しており、このパソコン１１は、演算処理を行なうＣＰＵ２７と、演算処理のための一時記憶手段であるＲＡＭ２８と、プログラムをロードしているＲＯＭ２９と、入力動作を行なうキーボード３０とを備えている。さらにこのパソコン１１はテレビ電話の機能を備えており、ＣＣＤカメラ３１と、マイクロホン３２とが設けられている。またこのパソコン１１にはテレビ電話ドライバ３３がインストールされており、これらの各装置がデータバス３４を介して互いに信号の授受を行なうようにしている。
【００２４】
次にペットショップ以外の販売店に配される展示販売用パソコン１７の構成を図３によって説明する。このパソコン１７は、演算処理のためのＣＰＵ３７と、上記ＣＰＵ３７が演算を行なう際のレジスタ等の記憶手段を構成するＲＡＭ３８と、プログラムが格納されるＲＯＭ３９と、入力動作を行なうための入力装置４０とを備えている。さらにこの展示販売用パソコン１７はテレビ電話の機能を備えており、テレビ電話ドライバ４１と、ＣＣＤカメラ４２と、マイクロホン４３とが設けられている。そしてこれらの装置はデータバス４４を介して互いに接続されており、信号の授受によって情報の処理を行なうようにしている。
【００２５】
図４は図２に示すパソコン１１が配されるペットショップの内部の構成を示しており、ペットショップ４７には、その壁際の部分に犬舎４８や猫舎４９が並べて配列されており、これらの犬舎４８や猫舎４９内にはそれぞれペットを構成する販売用の子犬や子猫が収納されている。またこのペットショップ４７には、ネットワークカメラ１３が配されており、インターネット通信網１０に接続されている。
【００２６】
次にこのようなシステム構成に係るペットの販売装置の使用動作について説明する。まず図５に示すように、各ペットショップにおいて、図５に示すようにペット画像を作成し、このペット画像をサーバ２０上にロードする。なおペット画像の作成は、ＣＣＤカメラを用いて個別にペットを撮影してもよく、あるいはまたペットショップに設けられているネットワークカメラ１３によって捉えた映像を用いて編集して作成してもよい。あるいはまた表示パネル１２に設けられているＣＣＤカメラ３１を用いてペットの画像を取込むようにしてもよい。取込まれたペットの画像は、インターネット通信網１０を介してサーバ２０のホームページにアップロードされる。サーバ２０は、加盟する複数のペットショップのペットの画像を総て収納保持している。またペットに関する他の情報、例えば生まれた年月日、月齢、血統証の有無、性質、所属するペットショップの場所、その他各種のペットに関する情報を保持している。
【００２７】
またサーバ２０に対する画像のアップロードは、繁殖者（ブリーダー）によっても行なわれる。すなわちこのペットショップの販売システムに加盟している繁殖者（ブリーダー）が、生まれて間もない、例えば２週間程度からの犬や猫の生体画像を作成し、これをサーバ２０にアップロードしている。一般にペットの販売は、生後４週間程度からであって、それ以前の生体は移動および販売が好ましくないために、通常のペットショップでこのような生まれたばかりのペットを展示販売することができない。しかるにブリーダーが生まれて２週間程度のペットの画像を作成し、これをサーバ２０上にアップロードすることは可能である。アップロードされた画像を見て、予約販売を行なうことが可能になり、とくに生まれて間もない生体のペットの販売促進につながることになる。なお繁殖者（ブリーダー）が生まれて間もない犬や猫の生体画像をアップロードするパソコンは、各ペットショップがアップロードに用いるパソコン１１と同様の構成であってよい。
【００２８】
そしてこのシステムにおいては、図５に示すように、インターネット通信網１０を介して販売店に設けられているタッチパネル１６でペットの画像を検索し、表示されているペットの画像の中から好みの画像を選んで購入するようになっており、ペットショップにわざわざ赴くことなくしかもペットを購入することが可能になっている。
【００２９】
図６は、外食チェーンの飲食店、食料品店、スーパーマーケット等に配される販売用のタッチパネル１６を示している。このタッチパネル１６は展示販売用パソコン１７の出力表示装置を構成しており、しかもＣＣＤカメラ４２によってテレビ電話の機能を有している。なお販売用の表示手段は、必ずしもタッチパネルである必要はなく、メニューの選択が可能なディスプレイを用いてもよいが、販売促進の点でタッチパネルが好適である。
【００３０】
タッチパネル１６を起動し、犬、猫の種別を選択し、その上で犬あるいは猫の種類を選択すると、その種類の犬あるいは猫が図６に示すように画像表示される。従って画像表示されたペットの中から好みのペットをタッチして選択することによって、その選択されたペットの動画像等がさらに配信されるようになっており、これによってペットの選択を行なうことを可能にしている。
【００３１】
図７は図６に示すようにいきなりペットの画像を表示する代わりに、予めサーバ２０上に登録されているペットの所定の階層の一覧表示を行なうようにし、このような一覧表示の中から好みのペットをタッチパネル１６にタッチして選択することにより、対応するペットの映像が表示されるようになっている。
【００３２】
図８はタッチパネル１６によるペットの選択および購入の動作を示している。この動作は、まずタッチパネル１６を起動させる。そしてペットの種別の選択を行なう。この選択は、犬あるいは猫の選択である。なおそれ以外の種類のペットを販売する場合には、それらをも選択できるようにすればよい。
【００３３】
次に犬または猫の種類の選択を行なう。すなわち犬であれば、チワワ、柴犬、パグ、ダックス、ブルドック等の犬の種類の選択を行なう。ペットの種類の選択が行われた場合には、タッチパネル１６は、パソコン１７によってインターネット通信網１０を介してサーバ２０にアクセスし、データベース検索を行なって対応する犬または猫の画像表示の一覧を行なう。あるいはまた対応する犬または猫のデータ表示を行なう。すなわち図６あるいは図７に示すような表示動作が行なわれる。従ってこのような一覧の出力表示から、希望する犬または猫の指定を行なうようにすればよい。指定が行なわれない場合には、その時点でこのプログラムを終了する。指定を行なうと、展示販売用パソコン１７の有するテレビ電話機能によってテレビ電話回線が成立する。すなわちインターネット通信網１０を介して選択されたペットを置いているペットショップとの間で電話回線が成立する。従ってこのような電話回線を通して、指定された犬または猫をテレビ電話で画像送信することになり、このような画像がタッチパネル１６の表示機能を用いて表示される。なおこのときに、購入希望者は、ペットショップの店員とテレビ電話を通してコミュニケーションすることができ、この犬の性質や健康状態等についての情報を入手することができる。
【００３４】
ペットショップに赴くことなく展示販売用パソコン１７と接続されたタッチパネル１６によってペットを購入する場合の動作の一例を図９で説明する。展示販売用パソコン１７と接続されたタッチパネル１６によって上述の如くペットの検索を行なう。そして好みのペットを選択するとともに、タッチパネル１６と接続されたパソコン１７のテレビ電話機能を利用してペットショップのパソコン１１との間でテレビ電話回線を接続し、テレビ電話によってペットショップから、ペットの動画像を受信して動画像をパソコン１７を介してタッチパネル１６に表示する。従ってこのような動画像を見て申込んだ人は購入するかどうかの判断を行なう。購入する場合には代金の決済を行なう。この決済は、例えばクレジットカード等を利用して行なう。そしてこの後に、商品の引渡しを行なうことによってペットの販売が完了する。なお購入しない場合にはテレビ電話が切断される。そしてこの後に別のペットの選択を行なうかどうかの判断が行なわれる。別のペットの選択が行なわれない場合には、そこで終了する。これに対して別のペットの選択を行なう場合には、再びタッチパネル１６によるペットの検索の動作に戻る。
【００３５】
またペットの購入のための選択は、ネットワークカメラ１３を用いて行なうことも可能である。この動作は、図１０に示すように、販売用のタッチパネル１６でペットショップを選択する。すると選択されたペットショップの内部の映像が、そのペットショップのほぼ中央部に備えられているネットワークカメラ１３（図４参照）によって取込まれることになる。ネットワークカメラ１３を回転操作することによって、このペットショップ内の犬舎４８や猫舎４９のペットを順次画像を通して見ることが可能になる。
【００３６】
そして全体のペットの概観を行なった後に、目標とするペットに合わせるように、再びネットワークカメラ１３を回転操作する。この回転操作は、タッチパネル１６上に設けられている指示の表示を選択することによって行なわれる。そして目標とするペットに画像を合わせたならば、その時点でネットワークカメラ１３をズーム動作させることによって、目標とするペットの画像を取得できるようになる。ここでこの画像を用いて直接購入動作を行なってもよく、あるいはまたその後に、サーバ２０上のデータベースに取込まれているそのペットの画像をさらに取込んでタッチパネル１６上に表示し、これによって購入動作を行なうことにしてもよい。
【００３７】
図１１はペットの購入の別の動作を示す。この動作においては、展示販売用パソコン１７に接続されたタッチパネル１６でペットの検索を行なう。そして固定電話または携帯電話でこのペットを置いているペットショップに連絡を行ない、タッチパネル１６とペットショップのパソコン１１との間でテレビ電話回線を成立させ、電話回線を用いて選択されたペットの動画像を送信する。タッチパネル１６側では、この動画像を受信して画像表示を行なう。
【００３８】
このタッチパネル１６上の送信されたペット画像を見て、顧客は購入するかどうかの判断を行なう。購入する場合にはここで条件提示が行なわれ、条件が一致した場合に売買契約が成立する。そしてこの後にペットを受取るためにペットショップに行ってペットを受取るか、宅配によってペットを搬送してもらって受取ることになる。タッチパネル１６の画像によって購入しないと決断した場合には、テレビ電話が切断される。そしてこの後に別のペットの選択を行なうかどうかの判断が行なわれ、ここで別のペットの選択を行なう場合にはタッチパネル１６によるペットの検索の動作に戻る。別のペットの検索をさらに行なわない場合には、ここで終了する。
【００３９】
次に上記のような販売展示用タッチパネル１６に対する検索データを用いた管理用コンピュータ２３の管理動作について説明する。図１２に示すように管理用コンピュータ２３は検索回数の計測を行なう。すなわちタッチパネル１６であるペットが検索されたかどうかの判断を行なうとともに、検索された場合には検索されたペットの特定を行なう。この動作は、サーバ２０に格納されているデータを用いたデータベース検索によって行なってもよく、あるいはまた予め管理用コンピュータ２３に登録されているペットに関するデータを用いて行なってもよい。そして特定されたペットのカウントを加算する。加算されたカウント値は、管理用コンピュータ２３のメモリに保存される。
【００４０】
図１３はこのような管理用コンピュータ２３に保存されたデータを用いて解析を行なう動作を示しており、ここでは条件入力がされたかどうかの判断を行なうとともに、条件入力がなされた場合には条件に一致したデータをメモリ内から抽出する。そして抽出データのソーティングを行なうとともに、ソーティングされたデータを出力表示する。図１４はこのようなデータの一例を示している。なお条件を変更することによって、各種のデータを入手することが可能になり、これによって客の好み、地域性、その他各種の販売促進につながるデータの収集が可能になる。
【００４１】
このように本実施の形態のペットの販売方法は、ペットショップを中心に、その周辺の所定の距離、例えば１０〜２０Ｋｍの商圏にある食料品店や飲食店、スーパーマーケット等の集客の多い場所にタッチパネル１６を配置し、このタッチパネル１６によってペットを選び、このタッチパネル１６の有するインターネット電話機能を用いて動画を見ながら画面上で対面接客によってペットを販売する方式である。
【００４２】
このような方式は、無人の簡易ペットショップを場所を選ばずに設置でき、食品衛生上の法規制を受けることなく設置することが可能になる。無人の簡易ペットショップを構成するために、顧客は気軽にタッチパネルを操作することができる。また、しつけ、健康相談等について、タッチパネル周辺にインターネット対応テレビカメラを設置することによって、ペットショップとテレビ電話を接続してスタッフが対応できるようになる。従来食品衛生法の規制によって設置が不可能な食料品販売店等において、低コストで設置面積が１ｍ２位の広さでこのペットの販売装置を設置することができる。
【００４３】
またこのようなシステムに加入する加盟店を増大させることによって、加盟店を構成するそれぞれのペットショップ間での生体ペットの相互流通が盛んになり、このために短期間での販売が可能になる。すなわち今までペットショップの大きな負担となっていた、長期在庫によるペットの生体成長の進行や、販売力の低下を未然に回避することが可能になる。また加盟ペットショップ数×１店舗平均ペット在庫数がタッチパネルの在庫数になる。従って今までにない大きな数の展示数になって、客が選択できるペットの数が膨大になる。またインターネット回線を使用しているために、映像によるペットの表示のアクセスログの解析がリアルタイムで行なうことが可能になり、各加盟店を構成するペットショップは、このようなデータを利用して、展示するペットの種類等の対応を容易かつ円滑に、しかもスピーディに行なうことが可能になり、不良在庫の発生を防止できるようになる。
【００４４】
以上本願発明を図示の一実施の形態によって説明したが、本願発明は上記実施の形態によって限定されることなく、本願発明の技術的思想の範囲内において各種の変更が可能である。例えば上記実施の形態におけるペットの種類や、加盟するペットショップの数、あるいは販売用のタッチパネルの数等については任意に増減可能である。
【産業上の利用可能性】
【００４５】
本願発明は、ペットを販売する販売システムとして広く利用することができる。
【図面の簡単な説明】
【００４６】
【図１】ペットの販売方法に係るシステム構成を示すブロック図である。
【図２】ペットショップに配されるパソコンのシステム構成を示すブロック図である。
【図３】展示販売用のタッチパネルと接続されるパソコンのシステム構成を示すブロック図である。
【図４】ペットショップ内における犬舎、猫舎、およびネットワークカメラの配置を示すブロック図である。
【図５】ペットの画像のアップロードの動作を示す説明図である。
【図６】複数のペットの映像表示を示すタッチパネルの正面図である。
【図７】ペットのリスト表示を示すタッチパネルの正面図である。
【図８】ペットの検索動作を示すフローチャートである。
【図９】ペットの購入動作を示すフローチャートである。
【図１０】ネットワークカメラを用いたペットの検索動作を示すフローチャートである。
【図１１】ペットの購入動作を示す別のフローチャートである。
【図１２】検索回数の計測の動作を示すフローチャートである。
【図１３】検索データの解析を示すフローチャートである。
【図１４】解析結果の一例を示す表である。
【符号の説明】
【００４７】
１０  インターネット通信網
１１  パソコン（ペットショップ）
１２  表示パネル
１３  ネットワークカメラ
１６  タッチパネル
１７  パソコン（展示販売用）
２０  サーバ
２３  管理用コンピュータ
２４  表示パネル
２７  ＣＰＵ
２８  ＲＡＭ
２９  ＲＯＭ
３０  キーボード
３１  ＣＣＤカメラ
３２  マイクロホン
３３  テレビ電話ドライバ
３４  データバス
３７  ＣＰＵ
３８  ＲＡＭ
３９  ＲＯＭ
４０  入力装置
４１  テレビ電話ドライバ
４２  ＣＣＤカメラ
４３  マイクロホン
４４  データバス
４７  ペットショップ
４８  犬舎
４９  猫舎
【図１】
2010092315.tif 000003
【図２】
2010092315.tif 000004
【図３】
2010092315.tif 000005
【図４】
2010092315.tif 000006
【図５】
2010092315.tif 000007
【図６】
2010092315.tif 000008
【図７】
2010092315.tif 000009
【図８】
2010092315.tif 000010
【図９】
2010092315.tif 000011
【図１０】
2010092315.tif 000012
【図１１】
2010092315.tif 000013
【図１２】
2010092315.tif 000014
【図１３】
2010092315.tif 000015
【図１４】
2010092315.tif 000016